【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
遊技盤に設けられた始動口への入球に起因して乱数を抽出すると共に、該乱数に基づき大当り抽選を行い、該大当り抽選での当選により遊技者に予め定められた遊技価値を付与する主制御装置を備える弾球遊技機であって、
前記主制御装置は、
基準時間を示す複数の基準時間データを記憶している基準時間データ記憶手段と、
前記基準時間分のウェイトを繰り返す回数であるループ回数を定めるための回数データを複数記憶している回数データ記憶手段と、
予め定められた処理時間の生成に用いられるデータであって、前記基準時間に対応している基準時間指定データとして用いられると共に、前記回数データに対応している回数指定データとして用いられるデータである時間生成データを複数記憶している時間生成データ記憶手段と、
前記時間生成データを前記基準時間指定データとして用い、該基準時間指定データに対応する前記基準時間分の前記ウェイトを生成するウェイト生成手段と、
前記ウェイト生成手段により前記時間生成データに基づき生成された前記ウェイトと、
前記回数指定データとして用いられる該時間生成データに対応している前記回数データにより定められる前記生成回数とに基づき、該時間生成データに係る前記処理時間を生成する時間生成手段と、
少なくとも前記大当り抽選の結果に基づいていずれかの前記時間生成データを選択すると、該選択された時間生成データに基づいて前記時間生成手段により生成された前記処理時間を特別図柄の変動時間とし、該変動時間にわたり特別図柄の変動表示を行った後、該特別図柄を停止表示させることで、前記大当り抽選の結果を報知する特別図柄制御手段と、
を備えることを特徴とする弾球遊技機。
【手続補正２】
【補正対象書類名】明細書
【補正対象項目名】０００７
【補正方法】変更
【補正の内容】
【０００７】
上記課題に鑑みてなされた請求項１に記載の弾球遊技機は、遊技盤に設けられた始動口への入球に起因して乱数を抽出すると共に、該乱数に基づき大当り抽選を行い、該大当り抽選での当選により遊技者に予め定められた遊技価値を付与する主制御装置を備える。そして、主制御装置は、基準時間を示す複数の基準時間データを記憶している基準時間データ記憶手段と、基準時間分のウェイトを繰り返す回数であるループ回数を定めるための回数データを複数記憶している回数データ記憶手段と、予め定められた処理時間の生成に用いられるデータであって、基準時間に対応している基準時間指定データとして用いられると共に、回数データに対応している回数指定データとして用いられるデータである時間生成データを複数記憶している時間生成データ記憶手段と、を備える。また、主制御装置は、時間生成データを基準時間指定データとして用い、該基準時間指定データに対応する基準時間分の前記ウェイトを生成するウェイト生成手段と、ウェイト生成手段により時間生成データに基づき生成されたウェイトと、回数指定データとして用いられる該時間生成データに対応している回数データにより定められる生成回数とに基づき、該時間生成データに係る処理時間を生成する時間生成手段と、少なくとも大当り抽選の結果に基づいていずれかの時間生成データを選択すると、該選択された時間生成データに基づいて時間生成手段により生成された処理時間を特別図柄の変動時間とし、該変動時間にわたり特別図柄の変動表示を行った後、該特別図柄を停止表示させることで、大当り抽選の結果を報知する特別図柄制御手段と、を備える。
【手続補正３】
【補正対象書類名】明細書
【補正対象項目名】００１０
【補正方法】変更
【補正の内容】
【００１０】
これに対し、請求項１に記載の弾球遊技機では、主制御装置には、異なる基準時間を示す基準時間データが複数記憶されていると共に、基準時間分のウェイトを繰り返す回数であるループ回数を定めるための回数データが複数記憶されている。また、基準時間に対応している基準時間指定データとして用いられると共に、回数データに対応している回数指定データとして用いられる時間生成データが複数記憶されており、少なくとも大当り抽選の結果に基づいて、時間生成データが選択される。
【手続補正４】
【補正対象書類名】明細書
【補正対象項目名】００１１
【補正方法】変更
【補正の内容】
【００１１】
そして、選択された時間生成データが基準時間指定データとして用いられ、該基準時間指定データに対応する基準時間分のウェイトが生成される。また、該時間生成データが回数指定データとして用いられ、該ウェイトの生成回数と、該回数指定データに対応する回数データにより定められる生成回数とに基づき、処理時間が生成され、該処理時間が特別図柄の変動時間として用いられる。
【手続補正５】
【補正対象書類名】明細書
【補正対象項目名】００１５
【補正方法】変更
【補正の内容】
【００１５】
また、時間生成データよりも長いデータ長の回数データを用いることが可能となり、より長期間の変動時間を多くの種類にわたり生成することができる。
なお、次のような弾球遊技機を構成しても良い。すなわち、主制御装置は、基準時間を示す複数の基準時間データを記憶している基準時間データ記憶手段と、予め定められた処理時間の生成に用いられるデータであって、基準時間に対応している基準時間指定データとして用いられると共に、基準時間分のウェイトの生成回数を定めるための回数データとして用いられるデータである時間生成データを複数記憶している時間生成データ記憶手段と、時間生成データを基準時間指定データとして用い、該基準時間指定データに対応する基準時間分のウェイトを生成するウェイト生成手段と、を備えていても良い。また、主制御装置は、ウェイト生成手段により時間生成データに基づき生成されたウェイトと、該時間生成データを回数データとして用いることで定められる生成回数とに基づき、該時間生成データに係る処理時間を生成する時間生成手段と、少なくとも大当り抽選の結果に基づいていずれかの時間生成データを選択すると共に、該時間生成データに基づき時間生成手段により生成される処理時間を変動時間とし、該変動時間にわたり特別図柄の変動表示を行った後、該特別図柄を停止表示させることで、大当り抽選の結果を報知する特別図柄制御手段と、を備えていても良い。
【手続補正６】
【補正対象書類名】明細書
【補正対象項目名】００２０
【補正方法】変更
【補正の内容】
【００２０】
こうすることにより、時間生成データを用いて保留記憶の数に応じた長さの変動時間を生成することができる。
なお、基準時間指定データは、複数の基準時間に対応付けられており、ウェイト生成手段は、時間生成データを基準時間指定データとして用い、該基準時間指定データに対応する基準時間のうち、遊技状態に対応する基準時間分のウェイトを生成しても良い。
【手続補正７】
【補正対象書類名】明細書
【補正対象項目名】００２１
【補正方法】変更
【補正の内容】
【００２１】
このような構成を有する場合にも、時間生成データを用いて遊技状態に応じた長さの変動時間を生成することができる。
また、基準時間指定データは、複数の基準時間に対応付けられており、ウェイト生成手段は、時間生成データを基準時間指定データとして用い、該基準時間指定データに対応する基準時間のうち、保留記憶の数に対応する基準時間分のウェイトを生成しても良い。
【手続補正８】
【補正対象書類名】明細書
【補正対象項目名】００２３
【補正方法】変更
【補正の内容】
【００２３】
すなわち、弾球遊技機は、主制御装置からのコマンドに応じて各種演出を行うサブ制御装置をさらに備え、主制御装置は、サブ制御装置に対してコマンドを送信することで、サブ制御装置に演出を行わせる演出手段をさらに備え、演出手段は、いずれかの時間生成データに基づき時間生成手段により生成された処理時間の経過に応じてコマンドを送信しても良い。
【手続補正９】
【補正対象書類名】明細書
【補正対象項目名】００２５
【補正方法】変更
【補正の内容】
【００２５】
すなわち、サブ制御装置は、演出として、コマンドに応じて、演出図柄の変動表示を行った後に大当り抽選の結果に応じた演出図柄を停止表示させ、演出手段は、コマンドを送信することで、サブ制御装置に変動表示を開始させ、時間生成手段により生成された変動時間の経過に応じてコマンドを送信することで、サブ制御装置に停止表示をさせても良い。
【手続補正１０】
【補正対象書類名】明細書
【補正対象項目名】０１１４
【補正方法】変更
【補正の内容】
【０１１４】
パチンコ機１の主制御装置５０のＲＯＭが基準時間データ記憶手段，時間生成データ記憶手段，回数データ記憶手段に、変動時間演算用データが時間生成データに、ループ回数データが回数データに相当する。
【手続補正１１】
【補正対象書類名】明細書
【補正対象項目名】０１１５
【補正方法】変更
【補正の内容】
【０１１５】
また、保留記憶消化処理のＳ２６０がウェイト生成手段に、Ｓ２７０が時間生成手段に、Ｓ２５０，Ｓ２８５が特別図柄制御手段に相当する。